(57)【要約】【課題】  同時に多くの情報を表示できる表示装置を提供する。【解決手段】  表示装置１００は、異なる画面である第１画面と第２画面とを、各々異なる方向である第１方向と第２方向とに表示する。第２方向は、反射板２００に向かう表示方向であって、閲覧者は、直接視できる第１画面と、反射板２００に反射されて視認できる第２画面とを同時に閲覧可能である。【選択図】        図１
2005084299.tif 000002
【特許請求の範囲】
【請求項１】
同一の表示画面に対する複数の視点にそれぞれ対応する複数の表示方向に、互いに異なる複数の画像を同時に表示する表示手段と、
前記表示手段に表示される前記複数の画像のうちの少なくとも１つの画像を反射させる画像反射手段とを備える、表示装置。
【請求項２】
異なる複数の画像のうちの少なくとも１つの画像を鏡像反転させる画像反転手段と、
同一の表示画面に対する複数の視点にそれぞれ対応する複数の表示方向に、互いに異なる複数の画像を同時に表示する表示手段とを備え、
前記表示手段は、前記画像反転手段で鏡像反転された画像を含む前記複数の画像を、各々前記複数の表示方向のうちの少なくとも２つの異なる表示方向に同時に表示する、表示装置。
【請求項３】
前記表示手段に表示される前記複数の画像のうちの少なくとも１つの画像を反射させる画像反射手段をさらに備え、
前記表示手段は、前記複数の画像のうちの前記画像反転手段で鏡像反転された画像を、前記画像反射手段に向かう方向に表示する、請求項２に記載の表示装置。
【請求項４】
表示対象の画像データを第１画像と第２画像とに分割する画像分割手段をさらに備え、
前記画像反転手段は、前記複数の画像に含まれる前記第１画像と前記第２画像とのうちの一方の画像を鏡像反転させる、請求項２または３に記載の表示装置。
【請求項５】
前記画像反転手段で鏡像反転された画像を含む前記複数の画像のうちの少なくとも１つの画像に対して、縦方向と横方向との少なくとも一方の長さを変える補正を行なう補正手段をさらに備える、請求項２〜４のいずれかに記載の表示装置。
【請求項６】
前記補正手段は、前記表示手段と視線とのなす角度に応じた補正を行なう、請求項５に記載の表示装置。
【請求項７】
同一の表示画面に対する複数の視点にそれぞれ対応する複数の表示方向に、互いに異なる複数の画像を同時に表示する表示手段を含む表示装置における画像表示をコンピュータに実行させるプログラムであって、
異なる複数の画像データのうちの少なくとも１つの画像データを鏡像反転させる画像反転ステップと、
前記画像反転ステップで鏡像反転された画像データを含む前記複数の画像データを、前記表示手段において、前記複数の表示方向のうちの少なくとも２つの異なる表示方向に同時に表示する表示ステップとを実行させる、画像表示プログラム。
【請求項８】
前記表示装置には、前記表示手段で表示される前記複数の画像データのうちの少なくとも１つの画像を反射させる画像反射手段がさらに含まれ、
前記表示ステップは、前記表示手段において、前記複数の画像データのうちの前記画像反転ステップで鏡像反転された画像データを、前記表示手段から前記画像反射手段に向かう方向に表示する、請求項７に記載の画像表示プログラム。
【請求項９】
表示対象の画像データを第１画像データと第２画像データとに分割する画像分割ステップをさらに実行させ、
前記画像反転ステップは、前記複数の画像データに含まれる前記第１画像データと前記第２画像データとのうちの一方の画像データを鏡像反転させる、請求項７または８に記載の画像表示プログラム。
【請求項１０】
前記画像反転ステップで鏡像反転された画像データを含む前記複数の画像データのうちの少なくとも１つの画像データに対して、縦方向と横方向との少なくとも一方の長さを変える補正を行なう補正ステップをさらに実行させる、請求項７〜９のいずれかに記載の画像表示プログラム。
【請求項１１】
前記補正ステップは、前記表示手段と前記画像反射手段とのなす角度に応じた補正を行なう、請求項１０に記載の画像表示プログラム。
【発明の詳細な説明】
【技術分野】
【０００１】
この発明は表示装置、および画像表示プログラムに関し、特に、同時に多くの情報を表示できる表示装置、および画像表示プログラムに関する。
【背景技術】
【０００２】
従来よりある表示装置は、１つの画像を１つの表示方向に対して表示するものが多い。たとえば液晶ディスプレイで構成される表示装置などは、正面方向に対して画像が表示され、横方向からは画面が暗くなったり、色が変化したりして、表示されている画像が視認されにくい。
【０００３】
また、より多くの情報を表示装置において表示させるために、２種類の異なる画像を偏光レンズを介して異なる２つの表示方向に別々に表示するような、いわゆるデュアルビューディスプレイも提案されている。
【発明の開示】
【発明が解決しようとする課題】
【０００４】
しかしながら、表示装置において多く情報を表示させるためにこのようなデュアルビューディスプレイを用いた場合、複数の閲覧者が異なる視点に対応した方向から同時に異なる２種類の表示画像を見ることができる反面、１人の閲覧者はその２種類の表示画面を同時に見ることができないという問題があった。
【０００５】
本発明はこのような問題に鑑みてなされたものであって、１度に多くの情報を視認可能に表示できる表示装置、および画像表示プログラムを提供することを目的とする。
【課題を解決するための手段】
【０００６】
上記目的を達成するために、本発明のある局面に従うと、表示装置は、同一の表示画面に対する複数の視点にそれぞれ対応する複数の表示方向に、互いに異なる複数の画像を同時に表示する表示手段と、表示手段に表示される複数の画像のうちの少なくとも１つの画像を反射させる画像反射手段とを備える。
【０００７】
本発明の他の局面に従うと、表示装置は、異なる複数の画像のうちの少なくとも１つの画像を鏡像反転させる画像反転手段と、同一の表示画面に対する複数の視点にそれぞれ対応する複数の表示方向に、互いに異なる複数の画像を同時に表示する表示手段とを備え、表示手段は、画像反転手段で鏡像反転された画像を含む複数の画像を、各々上記複数の表示方向のうちの少なくとも２つの異なる表示方向に同時に表示する。
【０００８】
また、表示装置は、表示手段に表示される複数の画像のうちの少なくとも１つの画像を反射させる画像反射手段をさらに備え、表示手段は、複数の画像のうちの画像反転手段で鏡像反転された画像を、画像反射手段に向かう方向に表示することが好ましい。
【０００９】
また、表示装置は、表示対象の画像データを第１画像と第２画像とに分割する画像分割手段をさらに備え、画像反転手段は、複数の画像に含まれる第１画像と第２画像とのうちの一方の画像を鏡像反転させることが好ましい。
【００１０】
また、表示装置は、画像反転手段で鏡像反転された画像を含む複数の画像のうちの少なくとも１つの画像に対して、縦方向と横方向との少なくとも一方の長さを変える補正を行なう補正手段をさらに備えることが好ましい。
【００１１】
さらに、上記補正手段は、表示手段と視線とのなす角度に応じた補正を行なうことが好ましい。
【００１２】
本発明のさらに他の局面に従うと、画像表示プログラムは、同一の表示画面に対する複数の視点にそれぞれ対応する複数の表示方向に、互いに異なる複数の画像を同時に表示する表示手段を含む表示装置における画像表示をコンピュータに実行させるプログラムであって、異なる複数の画像データのうちの少なくとも１つの画像データを鏡像反転させる画像反転ステップと、画像反転ステップで鏡像反転された画像データを含む複数の画像データを、表示手段において、上記複数の表示方向のうちの少なくとも２つの異なる表示方向に同時に表示する表示ステップとを実行させる。
【００１３】
また、表示装置には、表示手段で表示される複数の画像データのうちの少なくとも１つの画像を反射させる画像反射手段がさらに含まれ、表示ステップは、表示手段において、複数の画像データのうちの画像反転ステップで鏡像反転された画像データを、表示手段から画像反射手段に向かう方向に表示することが好ましい。
【００１４】
また、画像表示プログラムは、表示対象の画像データを第１画像データと第２画像データとに分割する画像分割ステップをさらに実行させ、画像反転ステップは、複数の画像データに含まれる第１画像データと第２画像データとのうちの一方の画像データを鏡像反転させることが好ましい。
【００１５】
また、画像表示プログラムは、画像反転ステップで鏡像反転された画像データを含む複数の画像データのうちの少なくとも１つの画像データに対して、縦方向と横方向との少なくとも一方の長さを変える補正を行なう補正ステップをさらに実行させることが好ましい。
【００１６】
さらに、上記補正ステップは、表示手段と画像反射手段とのなす角度に応じた補正を行なうことが好ましい。
【発明を実施するための最良の形態】
【００１７】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１８】
図１は、本実施の形態にかかる画像表示装置の具体例を示す図である。図１を参照して、本実施の形態にかかる画像表示装置は、大きく分けて、表示装置１００と、反射板２００との２つを含んで構成され、表示装置１００と反射板２００とはヒンジ（図示せず）を介して回転可能に接合される。
【００１９】
さらに図１を参照して、表示装置１００は、第１方向と、反射板２００の方向である第２方向とに、画像を表示する。本実施の形態においては第１方向と第２方向とは横方向に並んだ複数の視点のそれぞれに対応する表示方向とし、反射板２００は、表示装置１００の横方向に辺に隣接してヒンジで接合されるものとする。
【００２０】
表示装置１００が第２方向に表示した画像は、反射板２００に入射されて第１方向と平行の方向に反射され、閲覧者は、表示装置１００から第１方向に表示された画像と、第２方向に表示されて反射板２００から第１方向と平行に反射された画像とを視認する。そのため、表示装置１００と反射板２００とのなす角度は本発明において限定されるものではないが、上述の第１方向および第２方向と表示装置１００の表示部５０とのなす角度が各々等しい場合には、本実施の形態において表示装置１００と反射板２００とのなす角度は一意に９０度に定められる。そこでこの場合、表示装置１００と反射板２００とを回転可能に接合するヒンジは、表示装置１００と反射板２００とのなす角度が９０度となる位置で表示装置１００と反射板２００とを固定しやすい構造となっていることが好ましい。
【００２１】
図２に、表示装置１００の構成の具体例をブロック図で示す。図２を参照して、本実施の形態にかかる表示装置１００はＣＰＵ（Central Processing Unit）１を含み、表示装置１００全体がＣＰＵ１において制御される。ＣＰＵ１で実行されるプログラムは、記憶部３を構成するＲＯＭ（Read Only Memory）に記憶される。また、記憶部３を構成するＲＡＭ（Random Access Memory）は、ＣＰＵ１がプログラムを実行する際の作業領域となる。
【００２２】
また、表示装置１００は、スイッチやボタンなどの操作部２と、画像表示を行なう表示部５０と、表示部５０における表示を制御する表示制御部４０と、表示対象のデータを記憶するデータ記憶部１０と、データ記憶部１０に記憶されるデータに対して表示部５０に表示させるための処理を行なうデータ処理部２０と、表示部５０に表示させるための第１画像データメモリ３１および第２画像データメモリ３２を含むメモリである画像データメモリ３０とを含み、ＣＰＵ１、および記憶部３と、バス４を介して接続される。
【００２３】
さらに図３に、表示部５０の構成の具体例を示す。図３を参照して、表示部５０は、画像データを表示する液晶ディスプレイであるデータ表示部５１と、データ表示部５１よりも前方、つまり閲覧者に近い側に備えられる液晶ディスプレイであるスリット板５２と、データ表示部５１の後方、つまり閲覧者に遠い側に備えられる照明装置であるバックライト５３とを含む。
【００２４】
データ表示部５１は、表示制御部４０に制御されることで、図３に示されるように、縦長の短冊状の領域である、第１画像を表示する複数の第１画像表示領域５１１と、第２画像を表示する複数の第２画像表示領域５１２とが、左から順に領域５１１，５１２の順番に交互に並んで構成される。
【００２５】
また、スリット板５２には、表示制御部４０の制御により、背後のデータ表示部５１を前方から透かして見ることのできない閉口部５２１と、背後のデータ表示部５１を前方から透かして見ることのできる開口部５２２とが構成されるように透明電極（図示せず）が配置される。閉口部５２１と開口部５２２とは、表示制御部４０が制御することで上記透明電極に電圧が印加された部分が暗転し、印加されない部分が可透なままとなって構成される。
【００２６】
スリット板５２に閉口部５２１と開口部５２２とが構成され、データ表示部５１に第１画像表示領域５１１と第２画像表示領域５１２とが構成されることで、第１画像表示領域５１１に表示される第１画像は開口部５２２を介して第１方向に表示され、表示部５０に対して第１方向（図３においては左方向）に位置する閲覧者から視認される。また、第２像表示領域５１２に表示される第２画像は開口部５２２を介して第２方向に表示され、表示部５０に対して第２方向（図３においては左方向）に位置する閲覧者から視認される。つまり、表示装置１００は、異なる画像である第１画像と第２画像とを、各々、表示部５０に対する異なる視点に対する方向である第１方向と第２方向との異なる表示方向に同時に表示する。
【００２７】
次に、図２に示されるデータ処理部２０の構成と、表示装置１００におけるデータ処理の流れとについて、図４を用いて説明する。
【００２８】
図４を参照して、データ処理部２０がＣＰＵ１から制御信号を受取って動作することで、データ処理部２０の機能には、画像分割部２１と、画像反転部２２と、メモリ転送制御部２３とが含まれる。
【００２９】
画像分割部２１は、データ記憶部１０に記憶される画像データを読出して２分割する。そして、２分割された画像データのうちの一方を画像反転部２２に、他の一方をメモリ転送制御部２３に渡す。
【００３０】
画像反転部２２は、画像分割部２１から渡された２分割された２つの画像データのうちの一方の画像データから、該画像を鏡像反転させた反転画像の画像データを生成する。そして、反転画像の画像データをメモリ転送制御部２３に渡す。
【００３１】
メモリ転送制御部２３は、画像分割部２１から渡された（鏡像反転されていない）画像データを第１画像データとして第１画像データメモリ３１に、画像反転部２２から渡された（鏡像反転された）画面データを第２画像データとして第２画像データメモリ３２に展開する。
【００３２】
表示制御部４０は、表示部５０を図３に示された構成となるように制御し、第１画面データメモリ３１に展開された第１画面データを第１画面表示領域５１１に、第２画面データメモリ３２に展開された第２画面データを第２画面表示領域５１２に表示させる。
【００３３】
さらに、画像分割部２１における画像データの分割処理について、図５を用いて具体的に説明する。
【００３４】
図５を参照して、画像分割部２１は、データ記憶部１０から画像データを読出し、該画像データを２分割する。さらに画像反転部２２は、分割した画像データのうちの一方の画像データに対して、該画像を鏡像反転させる反転処理を行なう。そして得られた２つの画像を第１画像および第２画像として画像データメモリ３０に展開し、鏡像反転させていない第１画像を第１方向に表示し、鏡像反転させた第２画像を反射板２００の方向である第２方向に表示する。
【００３５】
次に、図６のフローチャートを用いて、本実施の形態にかかる表示装置１００での画像表示処理を説明する。図６のフローチャートに示される処理は、表示装置１００のＣＰＵ１が記憶部３のＲＯＭに記憶されるプログラムを読出してＲＡＭ上で実行し、図２に示される各部を制御して図４に示される各部を機能させることで実現される。
【００３６】
図６を参照して、始めに、ステップＳ１０１で、データ処理部２０において、データ記憶部１０に記憶される表示対象の画像データが読み出される。そして、ステップＳ１０３で画像分割部２１において該画像データの分割処理が実行されて、該画像データが２分割される。
【００３７】
次に、ステップＳ１０５で画像反転部２２において、ステップＳ１０３で２分割された画像データのうちの一方の画像データに対して反転処理が施される。なお、ステップＳ１０３での分割処理およびステップＳ１０５での反転処理については、図４および図５を用いて先に述べたとおりである。
【００３８】
次に、ステップＳ１０７において、メモリ転送制御部２２で、ステップＳ１０３の分割処理で得られた２つの画像データのうちの一方の画像データ、およびステップＳ１０５で反転処理された他方の画像が、各々、第１画像データおよび第２画像データとして、第１画面データメモリ３１および第２画面データメモリ３２に展開される。ステップＳ１０７で画像データメモリに展開された各画像データは、ステップＳ１０９において、表示制御部４０で、各々表示部５０の第１画面表示領域５１１および第２画面表示領域５１２に表示される。
【００３９】
以上が、本実施の形態にかかる表示装置１００での画像表示処理である。
【００４０】
本実施の形態にかかる表示装置１００でこのような画像表示処理が行なわれることで、本実施の形態にかかる画像表示装置を用いると、閲覧者は、図７に示されるような第１画像と第２画像とを同時に閲覧することができる。すなわち、図７を参照して、閲覧者は、表示装置１００から第１方向に表示される第１画像と、表示装置１００から第２方向に表示されて反射板２００で第１方向と平行に反射された第２画像とを同時に閲覧することができる。このことによって、通常の液晶表示装置での１方向の表示のみを閲覧する場合に比べて２倍の情報量を同時に閲覧することができる。具体的には、図５に示されたように、表示装置１００の表示領域の２倍のサイズの画像であっても、画像表示装置を用いて図７に示されるように１度に閲覧することができる。
【００４１】
ところで、本実施の形態にかかる画像表示装置では、表示装置１００に表示された画像を該表示装置１００を視線の方向に対して直角の面から傾けた状態で閲覧することになる。図８を用いて、本実施の形態にかかる画像表示装置を閲覧時の位置関係を示す。
【００４２】
図８を参照して、画像表示装置を用いて画像を閲覧する場合、表示装置１００を閲覧者の視点を含む閲覧者が相対する視点面よりも傾き角度θだけ傾けて用いる。傾き角度θは表示装置１００と視線とのなす角度に応じて定まるパラメータである。なお、実施の形態において、視点とは、閲覧者が表示装置１００の表示部５０に表示される画像を閲覧する際の目の位置を指し、視線とは、視点から表示部５０に向かう直線を指すものとする。そして、本実施の形態にかかる表示装置１００に表示される第１画像または第２画像を、図１に示されるように閲覧者が見る場合には、第１画像の表示される第１方向、つまり直接視する画像（第１画像）の表示方向に応じて、表示装置１００に対する視線の方向は第１方向となる。なお、図８に示されるように、反射板２００の長さＡは最小限反射板２００の長さとして必要な長さであるものとし、長さＡについては後に説明する。
【００４３】
ここで、本実施の形態における画像データの補正処理について２つの具体例を挙げて説明する。
【００４４】
上述のように表示装置１００は傾き角度θだけ傾いているので、閲覧者から視認される画像は横方向に縮小され、画像の横方向の長さ、つまり視点面に投影された画像の横方向の長さは、実際の画像のｃｏｓθ倍に縮小される。すなわち、表示装置１００の表示領域の横方向の長さをＬとすると、視認される画像の横方向の長さ、つまり視点面に投影された画像の横方向の長さＬ’はＬｃｏｓθに縮小される。
【００４５】
そこで、第１の補正として、データ処理部２０の機能には、図９に示されるように、画像補正部２４がさらに含まれ、上記縮小を補正する処理を行なうことが好ましい。すなわち、画像補正部２４は、画像分割部２１から２分割された画像データを受取り、それらの画像データに対して、横方向に１／ｃｏｓθ倍する補正処理を行なう。
【００４６】
データ処理部２０の画像補正部２４において上述の補正処理が行なわれて画像データが横方向に伸長されることで、表示装置１００の傾きによる画像の横方向の縮小が打ち消され、歪まない画像が表示される。
【００４７】
また、本実施の形態にかかる画像表示装置を用いて表示された画像を閲覧すると、図１０に示されるように、反射板２００に反射された第２画像は、表示装置１００から離れたところ（本実施の形態では右側）で反射した画像ほど縦方向に縮小して見える。これは、反射板２００に反射されて閲覧者に届く第２画像は、実際には、閲覧者から反射板２００までの距離と、反射板２００から表示装置１００までの距離だけ離れた画像と同じだからである。
【００４８】
具体的には、図１１を参照して、表示装置１００に表示される、第１画像上の点Ｐａまでの閲覧者から視認される距離は、視点面から表示装置１００上の点Ｐａまでの距離Ｄと同じであるのに対し、第２画像の表示装置１００上の点Ｐａに対応する、反射板２００に反射されて表示される、第２画像の鏡像上の点Ｐａ’までの閲覧者から視認される距離は、視点面から反射板２００上の点Ｐａ’までの距離Ｄと表示装置１００上の点Ｐａから反射板２００上の点Ｐａ’までの距離ｄとの和である距離（Ｄ＋ｄ）となる。そのため、閲覧者から実際に視認される反射板２００に表示された第２画像の鏡像は、図１０に示されるように、表示装置１００から遠くなるほど縦方向に縮小される。これは、表示装置１００から遠くなる（本実施の形態では右にいく）ほど、視点面から反射板２００上の点Ｐａ’までの距離Ｄの減分に比べて、表示装置１００上の点Ｐａから反射板２００上の点Ｐａ’までの距離ｄの増分が大きく、閲覧者から視認される距離（Ｄ＋ｄ）が大きくなるからである。そして、図１０に示されるように、反射板２００上の点Ｐａ’が最も表示装置１００から遠い位置、つまり第２画像の縦方向の端辺の長さは縮小されて最も短くなり、実際の第２画像の縦方向の辺の長さｌに対して、第２画像の鏡像の縦方向の辺の長さｘは、次の式を解いて求められる。
【００４９】
ｘ＝ｌ×Ｄ／（Ｄ＋ｄ）・・・（１）
さらに、式（１）中の距離ｄは、反射板２００の長さＡと、表示装置１００と視線とのなす角度α（＝９０°−θ）とを用いると、
ｄ＝Ｌ／ｃｏｓα・・・（２）
で表わされる。
【００５０】
上述の式（１）と式（２）とから、長さｘは、
ｘ＝ｌ×Ｄｃｏｓα／（Ｄｃｏｓα＋Ｌ）・・・（３）
で表わされる。
【００５１】
このとき、角度αが９０°に近づくと、つまり、閲覧者の表示装置１００と視線とのなす角度が９０°に近づくと、長さｘは距離Ｄに関わらず０に近づく。
【００５２】
また、距離Ｄが距離ｄの倍数（ｎ倍）で表わされる場合、距離ｘは、
ｘ＝ｌ×ｎ／（ｎ＋１）
で表わされる。
【００５３】
なお、これは、閲覧者の視点が、表示装置１００の中心であり、かつ反射板２００の中心の位置にあることを前提としている。
【００５４】
同様に、表示装置１００に表示される第１画像も、表示装置１００の傾き角度θによって、視点面からの距離が遠くなるほど（本実施の形態では右側であるほど）縦方向に縮小される。
【００５５】
そこで、第２の補正として、上述の画像補正部２４は、上記縮小を補正する処理を行なうことが好ましい。すなわち、画像補正部２４は、画像分割部２１から２分割された画像データを受取り、それらの画像データに対して、図１２に示されるように、その第１画像データ側の画像データの第２画像データから遠い方の縦方向の辺、つまり本実施の形態では左側の縦方向の辺の長さを、上述の長さｘとする補正処理を行なう。
【００５６】
データ処理部２０の画像補正部２４において上述の補正処理が行なわれて画像データが縦方向に圧縮されることで、縦方向の辺の長さがｌである長方形の第１画像データは、図１３に示されるように、第２画像データから遠い方の縦方向の辺の長さが上で得られたｘ、および第２画像データに近い方の縦方向の辺の長さが（ｌ＋ｘ）／２の台形に補正される。また、反転された第２画像データは、図１４に示されるように、反転処理された後に、第１画像データに近い方の縦方向の辺の長さがｌ、および第１画像データから遠い方の縦方向の辺の長さが（ｌ＋ｘ）／２の台形に補正される。
【００５７】
このように補正されることで、表示装置１００の傾き角度θ、および反射板２００の鏡像反転による画像の縦方向の縮小が打ち消され、図１５に示されるように、元の画像データの縦方向の辺の長さをｌとした場合、補正後の画像データの画像表示装置での見える縦方向の長さは常に上述の長さｘとなり、縦方向に歪まない画像が表示される。
【００５８】
なお、上述の式（３）に示されるように、実際の距離ｘは、視点面から表示装置１００上の点Ｐａまでの距離Ｄに依存する。そのため、表示装置１００においては、閲覧者の位置を検出して距離Ｄを求めて、距離ｘを参照して上記補正を行なうことが最も好ましい。また、「近い位置から見る」、および「離れて見る」などの閲覧状態の設定を閲覧者が予め行なうことで、所定の距離Ｄを用いて上記補正を行なってもよい。
【００５９】
さらに、上述のように台形に補正されて表示される第１画像データおよび第２画像データを見る場合、表示装置１００の面積に比べて小さな画像を見ることになるので、拡大レンズなどを用いて拡大しながら反射板２００に投影させることも考えられる。
【００６０】
言うまでもなく、表示装置１００において、上述の第１の補正と第２の補正とのいずれか一方が行なわれてもよいし、いずれも組合せて行なわれてもよい。
【００６１】
また、上述の実施の形態においては、画像補正部２４は、画像分割部２１において２分割された画像データに対して補正処理を行ない、補正後の２つの画像データを各々画像反転部２２とメモリ転送制御部２３とに渡すものとしているが、処理順は、この順に限定されるものではない。すなわち、画像補正部２４は、画像分割部２１から２分割された画像データのうちの１つと、画像反転部２２から反転処理された画像データとを各々受取って、それらの画像データに対して補正処理を行ない、補正後の２つの画像データをメモリ転送制御部２３に渡してもよい。
【００６２】
なお、上述の実施の形態において、表示装置１００は、第１方向と第２方向との２方向に第１画像および第２画像を同時に表示するよう構成されるものとしたが、表示方向は２方向に限定されず、２以上のＮ方向に表示する、いわゆるマルチビュー表示を行なうよう構成されてもよい。すなわち、画像データメモリ３０は、２以上のＮ個の画像データメモリを含んで構成されて、データ処理部２０の画像分割部２１は、表示対象の画像データに対して上述の分割処理を実行してＮ分割し、第１〜第Ｎ画像データを各々の画像データメモリに展開するよう構成されていてもよい。なお、その際、反射板２００は、画像データの分割数に応じた数の反射板で構成される。また、表示装置１００と反射板２００とのなす角度も、画像データの分割数に応じた角度となる。
【００６３】
具体的に、Ｎが３である場合の画像表示装置の具体例を図１６に示す。この場合、画像表示装置は、表示装置１００と２つの反射板２００ａ，２００ｂとを含んで構成され、表示装置１００は、第１〜第３画像を第１〜第３方向に同時に表示する。第１画像は閲覧者に対する方向である第１方向に表示される。第２画像は、反射板２００ａに対する方向である第２方向に表示され、反射板２００ａで第１方向と平行の方向に反射される。第３画像は、反射板２００ｂに対する方向である第３方向に表示され、反射板２００ｂで第１方向と平行の方向に反射される。このとき、画像データメモリ３０は、３個の画像データメモリを含んで構成されて、データ処理部２０の画像分割部２１は、表示対象の画像データに対して上述の分割処理を実行して３分割し、画像反転部２２は３つの画像のデータのうちの２つの画像データに対して反転処理を行なって、該画像データを第２画像データおよび第３画像データとする。
【００６４】
さらに、本実施の形態にかかる表示装置１００に対して用いられる反射板２００の最小限必要な長さＡは、表示装置１００の長さを長さＬとし、図１７に示されるように、表示装置１００から反射板２００に投影される画像の表示方向、つまり上述の実施の形態では第２画像の表示方向である第２方向と表示装置１００とのなす角度を角度α、反射板２００への入射角度を角度γとすると、Ａ＝Ｌ・ｓｉｎα／ｃｏｓα＝Ｌ・ｃｏｓγ／ｓｉｎγで表わされる。
【００６５】
また、上述の実施の形態においては、表示装置１００の表示部５０が横方向の複数の方向に対して表示を行ない、反射板２００は、表示装置１００の横方向に辺に隣接してヒンジで接合されるものとして説明したが、上述の方向は横方向に限定されず、たとえば、上述の説明をまったく９０度言い換えて、該方向を縦方向としてもよいし、その他の方向としてもよい。
【００６６】
さらに、上述の表示装置１００において行なわれる画像表示方法を、プログラムとして提供することもできる。このようなプログラムは、コンピュータに付属するフレキシブルディスク、ＣＤ−ＲＯＭ（Compact Disc-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６７】
提供されるプログラム製品は、ハードディスクなどのプログラム格納部にインストールされて実行される。なお、プログラム製品は、プログラム自体と、プログラムが記録された記録媒体とを含む。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６９】
本発明にかかる表示装置および情報処理プログラムは、同時に、異なる方向に対して各々異なる画像を表示可能として、１度に多くの情報を表示可能な表示装置において有利に利用され得るものである。
【図面の簡単な説明】
【００７０】
【図１】実施の形態にかかる画像表示装置の具体例を示す図である。
【図２】実施の形態にかかる表示装置１００の構成の具体例を示すブロック図である。
【図３】表示部５０の構成の具体例を示す図である。
【図４】データ処理部２０の構成と、表示装置１００におけるデータ処理の流れとについて説明する図である。
【図５】画像分割部２１における画像データの分割処理について説明する図である。
【図６】実施の形態にかかる表示装置１００での画面表示処理を示すフローチャートである。
【図７】画像表示装置での画像の見え方を具体的に示す図である。
【図８】画像表示装置で見える画像の横方向の縮小を説明する図である。
【図９】画像データの補正を行なうデータ処理部２０の構成の具体例を示す図である。
【図１０】画像表示装置で見える画像の縦方向の縮小を説明する図である。
【図１１】画像表示装置で見える画像の縦方向の縮小の原理を説明する図である。
【図１２】第２の補正が施された画像データのサイズの具体例を示す図である。
【図１３】第２の補正が施された第１画像データのサイズの具体例を示す図である。
【図１４】第２の補正が施された第２画像データのサイズの具体例を示す図である。
【図１５】第２の補正が施された画像データの画像表示装置での見え方を具体的に示す図である。
【図１６】表示装置１００が３方向に画像データを表示する場合の画像表示装置の具体例を示す図である。
【図１７】反射板２００の最小限必要な長さＡを説明する図である。
【符号の説明】
【００７１】
１  ＣＰＵ、２  操作部、３  記憶部、４  バス、１０  データ記憶部、２０  データ処理部、２１  画像分割部、２２  画像反転部、２３  メモリ転送制御部、２４  画像補正部、３０  画像データメモリ、３１  第１画像データメモリ、３２  第２画像データメモリ、４０  表示制御部、５０  表示部、５１  データ表示部、５２  スリット板、５３  バックライト、５１１，５１２  データ表示部上の領域、５２１  閉口部、５２２  開口部。
【図１】
2005084299.tif 000003
【図２】
2005084299.tif 000004
【図３】
2005084299.tif 000005
【図４】
2005084299.tif 000006
【図５】
2005084299.tif 000007
【図６】
2005084299.tif 000008
【図７】
2005084299.tif 000009
【図８】
2005084299.tif 000010
【図９】
2005084299.tif 000011
【図１０】
2005084299.tif 000012
【図１１】
2005084299.tif 000013
【図１２】
2005084299.tif 000014
【図１３】
2005084299.tif 000015
【図１４】
2005084299.tif 000016
【図１５】
2005084299.tif 000017
【図１６】
2005084299.tif 000018
【図１７】
2005084299.tif 000019